(57)【特許請求の範囲】
【請求項１】
音声データ記録再生装置とコンピュータからなるシステムにおいて、
上記音声データ記録再生装置は、
フラッシュメモリからなる記録媒体と、
入力された音声信号をディジタルデータに変換する変換手段と、
上記ディジタルデータを、所定バイト数のパケット単位でそしてパケット毎にエラー訂正用データを付加し、上記記録媒体に記録する記録手段と、
上記記録媒体に記録された上記ディジタルデータを、上記パケット単位でパケットに付加されたエラー訂正用データと共に、送信する送信手段と、
を具備し、
上記コンピュータは、
上記音声データ記録再生装置から送信された上記ディジタルデータを受信する受信手段と、
上記受信手段で受信した上記ディジタルデータのパケットに対して、当該パケットと共に受信した上記エラー訂正用データを用いて、エラー訂正を行うエラー訂正手段と、
を具備し、
上記音声データ記録再生装置は、上記コンピュータからの要求に応じて上記送信手段の送信動作を実行させることを特徴とするシステム。
【請求項２】
上記音声データ記録再生装置及び上記コンピュータは共に中央演算処理装置を有し、
上記コンピュータの中央演算処理装置は、上記音声データ記録再生装置の中央演算処理装置よりもデータの処理能力が高いことを特徴とする請求項１に記載のシステム。
【発明の詳細な説明】
【０００１】
【発明の属する技術分野】
本発明は、音声データ記録再生装置とコンピュータからなるシステムに関する。
【０００２】
【従来の技術】
一般に、音声記録再生装置即ちテープレコーダの用途の一つとして、口述記録がある。この口述記録は、例えば、予め送るべき手紙の内容をテープレコーダにてテープに音声で記録しておき、秘書などにこの録音したテープを渡し、この秘書などは、そのテープを再生して音声を聞きながら手紙をタイプ作成する、あるいは、会議の内容を録音しておき、後でこの録音を聞きながら議事録を作成する、等、様々な利用法がある。
【０００３】
また近年、音声記録再生装置に於いては、装置の小型化の要求から、例えば、特開昭６３−２５９７００号公報に開示されているように、記録媒体として、磁気テープの代わりに半導体メモリを使用する装置が開発されてきている。
【０００４】
このような半導体メモリに音声データを記録する音声データ記録再生装置では、半導体メモリが装置本体から脱着できない構成になっているものもある。このような装置で、前述したような口述記録に於いて秘書などに記録した音声データを渡してタイプ作成してもらいたい場合、即ち、当該装置以外の音声再生装置などの他の外部装置でこの半導体メモリに記録された音声データを利用したい場合には、ケーブルなどを接続して外部装置にこの音声データを転送することになる。
【０００５】
ここで、最近のパーソナルコンピュータ（ＰＣ）の普及に伴って、タイプ作成もこのＰＣ上で動作するワードプロセッサで行われるのが普通となっている。このＰＣは、多くがサウンド機能を備えているものであり、音声データを当該ＰＣに接続されたスピーカから再生出力することが可能となっている。そこで、上記音声データ記録再生装置からＰＣに記録されている音声データを転送して、ＰＣ上でその音声データを再生しながらワードプロセッサでタイプ入力するという使用法が見られるようになってきている。
【０００６】
【発明が解決しようとする課題】
ところで、近年、いわゆるプラグ・アンド・プレィと称される機能に準拠したＵＳＢ（Universal Serial Bus）という、多数の機器を接続できるインタフェース仕様を採用したＰＣが普及してきている。これを利用すれば、従来のシリアルケーブル等のケーブル接続によるデータ転送に比較して格段に高速に音声データを音声データ記録再生装置からＰＣに転送することが可能となる。
【０００７】
一方、従来の音声データ記録再生装置では、ＰＣにデータ転送を行う際には、フラッシュメモリ等の半導体メモリから読み出した音声データに対してエラー訂正処理を行ってから転送するようになっている。ところが、一般に、音声データ記録再生装置で用いられる中央演算処理装置（ＣＰＵ）の能力がそれほど高くないため、上記ＵＳＢのような高速転送可能な転送経路を使用したとしても、このエラー訂正処理にかかる時間がボトルネックとなり、高速なデータ転送の妨げとなっている。
【０００８】
本発明は、上記の点に鑑みてなされたもので、高速にデータ転送を行うことの可能なシステムを提供することを目的とする。
【００１１】
【課題を解決するための手段】
上記の目的を達成するために、請求項１に記載の発明によるシステムは、音声データ記録再生装置とコンピュータからなるシステムであって、
上記音声データ記録再生装置は、
フラッシュメモリからなる記録媒体と、
入力された音声信号をディジタルデータに変換する変換手段と、
上記ディジタルデータを、所定バイト数のパケット単位でそしてパケット毎にエラー訂正用データを付加し、上記記録媒体に記録する記録手段と、
上記記録媒体に記録された上記ディジタルデータを、上記パケット単位でパケットに付加されたエラー訂正用データと共に、送信する送信手段と、
を具備し、
上記コンピュータは、
上記音声データ記録再生装置から送信された上記ディジタルデータを受信する受信手段と、
上記受信手段で受信した上記ディジタルデータのパケットに対して、当該パケットと共に受信した上記エラー訂正用データを用いて、エラー訂正を行うエラー訂正手段と、
を具備し、
上記音声データ記録再生装置は、上記コンピュータからの要求に応じて上記送信手段の送信動作を実行させることを特徴とする。
【００１２】
即ち、請求項１に記載のシステムによれば、音声データ記録再生装置は、コンピュータからの要求に応じて、音声信号に対応するディジタルデータを、所定バイト数のパケット単位でパケットに付加されたエラー訂正用データと共に、パケット毎に送信し、コンピュータ側では、受信した上記ディジタルデータのパケットに対して、当該パケットと共に受信した上記エラー訂正用データを用いて、エラー訂正を行うようにしている。
【００１３】
また、請求項２に記載の発明によれば、上記請求項１に記載のデータ転送システムに於いて、上記音声データ記録再生装置及び上記コンピュータは共に中央演算処理装置を有し、
上記コンピュータの中央演算処理装置は、上記音声データ記録再生装置の中央演算処理装置よりもデータの処理能力が高いことを特徴とする。
【００１４】
即ち、請求項２に記載のデータ転送システムによれば、データの処理能力が高い中央演算処理装置を備えるコンピュータ側でエラー訂正処理を行うようにしている。
【００１７】
【発明の実施の形態】
以下、図面を参照して、本発明の一実施の形態を説明する。
【００１８】
図１の（Ａ）は、本発明の一実施の形態に係るシステムの構成を示すもので、送信装置としてのデータ記録再生装置を複数接続可能で該データ記録再生装置との間でデータの転送を行うことが可能な受信装置としてのＰＣ１０と、該ＰＣ１０に接続される複数のＵＳＢ機器として構成された送信装置の内の一つである音声データ記録再生装置２０とを示す図である。
【００１９】
ここで、音声データ記録再生装置２０では、マイクロホン（ＭＩＣ）２１が増幅器（ＡＭＰ）２２、ローパスフィルタ（ＬＰＦ）２３、及びアナログ／ディジタル（Ａ／Ｄ）変換器２４を介して、システム制御部２５に接続されている。このシステム制御部２５は、ＣＰＵで構成され、音声データの圧縮／伸長を行う機能を備えている。このシステム制御部２５には、音声データの記録媒体としての不揮発性半導体メモリ２６と、電源制御部２７とが接続されている。また、このシステム制御部２５には、ディジタル／アナログ（Ｄ／Ａ）変換器２８、ＬＰＦ２９、及びパワーＡＭＰ３０を介してスピーカ３１が接続されている。
【００２０】
さらに、このシステム制御部２５には、操作入力部３２が接続されている。この操作入力部３２は、録音ボタンＲＥＣ及び停止ボタンＳＴＯＰの他、特に図示はしないが、再生ボタン，早送りボタン，早戻しボタン，Ｉマークボタン，Ｅマークボタン，エンドレス録音切り換えボタン，等を含む。
【００２１】
ここで、ＩマークやＥマークとは、次のようなものである。即ち、半導体メモリ２６には複数の文章が記録されることから、この種の音声データ記録再生装置２０では、文章録音者により録音時に、Ｉマークボタンを操作することにより、半導体メモリ２６に記録された複数文章間の優先関係を示すインストラクション（Ｉ）マークというタイピストや秘書向けの指示用インデックスマークを記録することができるようになっており、文章録音者は、このＩマークを使って、音声によって具体的に優先関係を指示するということが可能になっている。また、複数文章間の区切りを示すために、Ｅマークボタンの操作により、エンド（Ｅ）マークというインデックスマークを記録することができるようになっている。
【００２２】
また、上記システム制御部２５には、ＵＳＢケーブル４０を介してＰＣ１０との通信を行うためのデータ転送用データ変換部３３が接続されている。このデータ転送用データ変換部３３は、ＰＣ等の外部機器から信号を受信する手段、外部機器へ接続確認完了信号を送信する手段、及びデータを送信する手段を構成している。また、このデータ転送用データ変換部３３は、ＵＳＢケーブル４０が接続されたときに接続確認信号３４をシステム制御部２５の端子Ｔ１に供給するようになっている。
【００２３】
即ち、音声データ記録再生装置２０では、ＭＩＣ２１より得られるアナログ信号を、ＡＭＰ２２により増幅し、ＬＰＦ２３を通した後、Ａ／Ｄ変換器２４によってディジタル信号に変換して、システム制御部２５に入力して符号化し、この符号化されたデータを、半導体メモリ２６に記録する。このとき、例えば、上Ｅマークで区切られる一つの文章を１ファイルとして記録する。
【００２４】
また、半導体メモリ２６に記録されているデータは、システム制御部２５により読み出されて復号化され、この復号化された読み出しデータは、Ｄ／Ａ変換器８２８を入力し、ＬＰＦ２９を経てアナログ信号に変換される。そして、このＬＰＦ２９から出力された信号は、パワーＡＭＰ３０により増幅され、スピーカ３１より音として外部に出力される。
【００２５】
なおここで、半導体メモリ２６に記憶されるデータは、録音時に、ファイルにおけるパケット単位であるｎバイトブロック、例えば５１２バイト毎にエラー訂正コードが付されて記憶されるようになっており、再生時には、システム制御部２５は、半導体メモリ２６から読み出したデータに対してそのエラー訂正コードによるエラー訂正処理を行ってから復号化を行うことになる。
【００２６】
さらに、この半導体メモリ２６に記録されたデータは、システム制御部２５により読み出されてデータ転送用データ変換部３３に入力され、ＵＳＢケーブル４０を介してＰＣ１０に転送されるようになっている。この場合は、詳細は後述するが、エラー訂正処理を行うことなく、半導体メモリ２６から読み出した上記５１２バイト毎のデータをそのまま転送するものである。
【００２７】
次に、このような構成の音声データ記録再生装置２０を複数接続可能なＰＣ１０の動作を説明する。
【００２８】
図２は、ＰＣ１０で実行される音声データ記録再生装置２０の制御用プログラムのフローチャートである。
【００２９】
即ち、この制御用プログラムが起動されると、まず、画面表示や各パラメータの設定等の初期設定を行う（ステップＳ１１）。この初期設定に於いては、まず、現在接続されている全てのＵＳＢ対応機器を調査して接続テーブルを作成し、そしてその後、この接続テーブルに基づいて、所望のＵＳＢ機器である音声データ記録再生装置２０についての制御切り替え（パラメータ設定）を行うものである。なお、これら接続テーブルの作成処理及びパラメータ設定処理については、本出願人による特願平１１−１８９０９８号に詳述されているので、ここではその説明を省略する。
【００３０】
こうして、初期設定終了後、ＰＣ１０では、音声データ記録再生装置２０の制御用のメイン画面をモニタに表示して（ステップＳ１２）、マウス又はキーボードの入力待ちとなる（ステップＳ１３）。
【００３１】
ここで、マウス又はキーボード入力によりファイル転送処理が指示されると（ステップＳ１４）、詳細は後述するようなファイル転送処理サブルーチンがコールされて、音声データ記録再生装置２０からＵＳＢケーブル４０を介してファイルを受け取る（ステップＳ１５）。そしてその後、マウス又はキーボード入力により、この制御用プログラムの終了が指示されたか否かを判別し（ステップＳ１６）、終了が指示されていないければ上記ステップＳ１３に戻る。
【００３２】
また、マウス又はキーボード入力によりファイル再生が指示されると（ステップＳ１７）、ファイル再生処理サブルーチンがコールされる（ステップＳ１８）。このファイル再生処理サブルーチンにおいては、ファイル再生コマンドを音声データ記録再生装置２０に送信することで、音声データ記録再生装置２０においてその指定されたファイルが再生される。そしてその後、上記ステップＳ１６に進む。
【００３３】
また、マウス又はキーボード入力によりレコーダ記録情報確認が指示されると（ステップＳ１９）、レコーダ記録情報確認処理サブルーチンがコールされる（ステップＳ２０）。このレコーダ記録情報確認処理サブルーチンにおいては、レコード記録数確認コマンドを音声データ記録再生装置２０に送信することで、音声データ記録再生装置２０から半導体メモリ２６に記録されているレコードの数が送り返されてくるので、それをモニタに表示する。そしてその後、上記ステップＳ１６に進む。
【００３４】
また、マウス又はキーボード入力によりＰＣ時間設定が指示されると（ステップＳ２１）、時間設定処理サブルーチンがコールされる（ステップＳ２２）。この時間設定処理サブルーチンにおいては、時間設定コマンド（ＰＣ内蔵時計が計時している時間データを含む）を音声データ記録再生装置２０に送信することで、音声データ記録再生装置２０においてその内蔵時計がＰＣ１０の時間に同期される。そしてその後、上記ステップＳ１６に進む。
【００３５】
また、マウス又はキーボード入力により録音処理が指示されると（ステップＳ２３）、録音処理サブルーチンがコールされる（ステップＳ２４）。この録音処理サブルーチンにおいては、録音処理コマンドを音声データ記録再生装置２０に送信することで、音声データ記録再生装置２０において半導体メモリ２６への録音が行われる。そしてその後、上記ステップＳ１６に進む。
【００３６】
而して、上記ステップＳ１６において、制御用プログラムの終了が指示されたと判別された場合には、電力パワーダウン処理サブルーチンがコールされる（ステップＳ２５）。この電力パワーダウン処理サブルーチにおいては、音声データ記録再生装置２０の電源をローパワーにするコマンドを音声データ記録再生装置２０に送信することで、音声データ記録再生装置２０を省電力モードに移行させる。
【００３７】
一方、音声データ記録再生装置２０に於いては、システム制御部２５は、特に図示はしないが、次のように動作する。
【００３８】
即ち、図示しない電源スイッチの投入に応じて、まず、不図示の内部ワークメモリやレジスタ等の初期化を実行した後、操作入力部３２の何れかの操作ボタンが操作されたか否かを判別し、その操作ボタンの操作に応じた処理を行うものである。つまり、録音ボタンＲＥＣが押された場合には録音処理を実行し、不図示の再生ボタンが押された場合には再生処理を実行する。また、不図示の早送りボタンが押された場合には早送り処理を実行し、不図示の早戻しボタンが押された場合には早戻し処理を実行する。これら録音処理、再生処理、早送り処理、早戻し処理については、従来と同様の処理であるため、ここではその詳細は省略する。
【００３９】
また、操作ボタンが押されていない状態では、データ転送用データ変換部３３からの接続確認信号３４により、ＵＳＢケーブル４０のコネクタが接続されているか否かをチェックしており、コネクタが接続されている場合に、ＰＣ１０から認識コード転送要求またはリモート操作要求があると、それに応じた処理を行う。即ち、上記ステップＳ１１の所期設定時にＰＣ１０からＵＳＢケーブル４０を介した認識コード転送要求を、データ転送用データ変換部３３により受信すると、システム制御部２５は、記録媒体としての不揮発性半導体メモリ２６の所定のエリアに予め記憶されている、当該音声データ記録再生装置２０が有する固体の識別情報であるレコーダ認識コードを読み出して、それをＰＣ１０に転送する。また、上記ステップＳ１５，Ｓ１８，Ｓ２０，Ｓ２２，Ｓ２４，Ｓ２５の各サブルーチンにおいてＰＣ１０からＵＳＢケーブル４０を介したリモート操作要求（コマンド）を、データ転送用データ変換部３３により受信すると、システム制御部２５は、図２の（Ａ）に示すようなリモート処理サブルーチンを実行する。
【００４０】
即ち、まず、ＰＣ１０からコマンドを受信したかどうか確認し（ステップＳ３１）、受信していない場合には上位の接続処理サブルーチンに戻る。
【００４１】
これに対して、何らかのコマンドを受信した場合には、まず、それが上記ステップＳ１５で送信されてくるファイル転送コマンドであるかどうか判別し（ステップＳ３２）、そうであれば、ファイル転送処理を実行する（ステップＳ３３）。このファイル転送処理の詳細については後述するが、ＰＣ１０から要求されたファイルの音声データを半導体メモリ２６から読み出してデータ転送用データ変換部３３に供給し、ＵＳＢケーブル４０を介してＰＣ１０に転送する処理である。そして、上位の接続処理サブルーチンに戻る。
【００４２】
また、ＰＣ１０から送られてきたのが上記ステップＳ１８でのファイルの再生コマンドであれば（ステップＳ３４）、その指定されたファイルの音声データを半導体メモリ２６から読み出して、前述したような処理を行ってスピーカ３１から再生出力する（ステップＳ３５）。そして、上位の接続処理サブルーチンに戻る。
【００４３】
上記ステップＳ２０において送信されるレコード記録数確認コマンドを受信した場合には（ステップＳ３６）、半導体メモリ２６を参照してレコード記録数を確認し、図示しない表示部に表示する（ステップＳ３７）。また、その記録数の情報を、データ転送用データ変換部３３及びＵＳＢケーブル４０を介してＰＣ１０に送信することで、ＰＣ１０のモニタ上に表示することもできる。そして、その後、上位の接続処理サブルーチンに戻る。
【００４４】
また、上記ステップＳ２２で送信されてくるＰＣの時間設定コマンドを受信した場合には（ステップＳ３８）、図示しない内蔵時計をＰＣ１０の時計と同期させ（ステップＳ３９）、その後、上位の接続処理サブルーチンに戻る。
【００４５】
上記ステップＳ２５でＰＣ１０から送られてくる電源をローパワーにするコマンドを受信した場合には（ステップＳ４０）、電源制御部２７により電力パワーダウンつまり省電力モードに設定する処理を実行して（ステップＳ４１）、上位の接続処理サブルーチンに戻る。
【００４６】
そして、上記ステップＳ２４において送信されてくる録音処理コマンドを受信した場合には（ステップＳ４２）、前述したようにＭＩＣ２１から入力された音声の録音処理を実行した後（ステップＳ４３）、上位の接続処理サブルーチンに戻る。
【００４７】
なお、上記ステップＳ３３におけるファイル転送処理実行時に、ＰＣ１０側で、上記ステップＳ１５としてコールされるファイル転送サブルーチンは、図１の（Ｂ）に示すようになっており、上記ステップＳ３３におけるファイル転送処理サブルーチンは、図１の（Ｃ）に示すようになっている。また、この場合のＰＣ１０と音声データ記録再生装置２０との間の通信手順は、図３の（Ｂ）に示すようになっている。
【００４８】
即ち、ＰＣ１０は、上記ステップＳ１１で設定されたパラメータに応じた転送速度に設定した後、操作者によって指定された転送を要するファイルのファイル番号を、ＵＳＢケーブル４０を介して音声データ記録再生装置２０へ送信する（ステップＳ１５１）。
【００４９】
音声データ記録再生装置２０のシステム制御部２５は、この転送を要するファイルのファイル番号を受信すると（ステップＳ３３１）、それに応じて、まず転送準備として、そのファイルに関するファイルサイズ（Ｌ）等のファイル情報を読み出し（ステップＳ３３２）、その後、実際にそのファイル情報をＰＣ１０へ転送する（ステップＳ３３３）。なお、上記転送準備としては、必要によりデータ転送フォーマットの変更等を行うことも含む。
【００５０】
ＰＣ１０側では、この音声データ記録再生装置２０から送信されてきた上記ファイル情報を取得する（ステップＳ１５２）。そして次に、ＰＣ１０は、上記ファイルにおけるパケット単位であるｎバイトブロック、例えば５１２バイト分のデータとエラー訂正コードの転送を要求する信号を音声データ記録再生装置２０へ送信して（ステップＳ１５３）、受信待ちとなる（ステップＳ１５４）。
【００５１】
音声データ記録再生装置２０側では、このデータ転送要求を受信すると（ステップＳ３３４）、該音声データ記録再生装置２０側からＰＣ１０側へ、そのパケット単位である５１２バイト分のデータを転送する（ステップＳ３３５）。このとき、音声データ記録再生装置２０のシステム制御部２５は、半導体メモリ２６から読み出した音声データに対して再生時のようなエラー訂正処理を行うことなく、読み出したデータをそのまま転送する。そして、その５１２バイト分のデータに付加されて半導体メモリ２６に記憶されている６バイト分のエラー訂正コードは、ＰＣ側へ転送するようにしている（ステップＳ３３６）。
【００５２】
こうして音声データ記録再生装置２０から５１２バイト分のデータを受信すると（ステップＳ１５４）、ＰＣ１０は、Ｌ−５１２を演算し、その結果を新たなファイルサイズＬとして記憶する（ステップＳ１５５）。そして更に、上記音声データ記録再生装置２０から転送されてきたエラー訂正コードを受信して（ステップＳ１５６）、上記受信した５１２バイト分のデータに対してそのエラー訂正コードを使用してエラー訂正処理を実行し、エラー訂正されたデータを図示しないメモリに記憶する（ステップＳ１５７）。その後、上記ステップＳ１５５で新たに記憶したファイルサイズＬが５１２バイト以上であるか否かを判別し（ステップＳ１５８）、そうであれば、ＰＣ１０は、上記ステップＳ１５３乃至ステップＳ１５８の処理を繰り返す。
【００５３】
而して、上記ステップＳ１５８で、ファイルサイズＬが５１２バイト未満となったと判別したならば、ＰＣ１０は、残りのＬバイト（ｎ’バイト）分のデータとエラー訂正コードの転送を要求する信号を音声データ記録再生装置２０へ送信して（ステップＳ１５９）、そのｎ’バイト分のデータとエラー訂正コードを受信してエラー訂正処理をすることで、この一連のファイル転送処理を終了する。その後、メモリに記憶した転送されてきたデータを、上記ステップＳ１１で設定されたパラメータに応じた変換方法（例えばデータ伸長方式）に従って変換し、ファイルとして保存することになる。
【００５４】
即ち、上記５１２バイト分のデータの転送要求及びそれに応じた転送は、上記ファイルのデータの残りが５１２バイト未満になるまで繰り返される。そして最後に、ＰＣ１０側から音声データ記録再生装置２０側へ、残りのバイト分（ｎ’バイトブロック）のデータを転送するよう要求がなされ、該音声データ記録再生装置２０側からＰＣ１０側へ、その残りのバイト分のデータを転送したならば（ステップＳ３３７）、音声データ記録再生装置２０のシステム制御部２５は、このファイル転送処理を終了する。
【００５５】
以上のように、本実施の形態では、音声データ記録再生装置２０側で、音声信号に対応するディジタルデータの記録時に、エラー訂正コードを生成してそのディジタルデータと共に半導体メモリ２６に記録しておき、上記ディジタルデータをＰＣ１０側に転送する際、ＰＣ１０のＣＰＵよりもデータ処理能力が低い音声データ記録再生装置２０のシステム制御部２５ではエラー訂正を行わずに、エラー訂正コードを含む音声データを送信し、ＰＣ１０側のデータ処理能力が高いＣＰＵで、その受信した音声データに含まれるエラー訂正コードを用いて上記音声データのエラー訂正を行うようにしている。即ち、データ転送時に処理に時間のかかるエラー訂正処理を処理能力の高いＰＣ１０側で行うようにし、音声データ記録再生装置２０はそのような処理を行うことなく半導体メモリ２６に記憶されたデータを転送するだけで良いので、高速にデータ転送を行うことが可能となる。
【００５６】
例えば、８ＭＢのデータを転送するのに、従来は３分５０秒の転送時間が必要であったのに対し、本実施の形態を適用すると、１分３０秒に転送時間が短縮するということが、本発明者の実験により確認されている。
【００５７】
以上、一実施の形態に基づいて本発明を説明したが、本発明は上述した一実施の形態に限定されるものではなく、本発明の要旨の範囲内で種々の変形や応用が可能である。
【００５８】
例えば、ＰＣ１０と音声データ記録再生装置２０との接続をＵＳＢにより行うものとして説明したが、これに限定されるものではない。
【００５９】
【発明の効果】
以上詳述したように、本発明によれば、高速にデータ転送を行うことの可能なシステムを提供することができる。
【図面の簡単な説明】
【図１】  （Ａ）は本発明の一実施の形態に係るシステムの構成を示す図であり、（Ｂ）は受信装置としてのＰＣにおけるファイル転送サブルーチンのフローチャート、（Ｃ）は送信装置としての音声データ記録再生装置におけるファイル転送サブルーチンのフローチャートである。
【図２】ＰＣで実行される制御用プログラムのフローチャートである。
【図３】（Ａ）は音声データ記録再生装置におけるリモート処理のフローチャートであり、（Ｂ）はＰＣと音声データ記録再生装置との間の通信手順を説明するための図である。
【符号の説明】
１０      パーソナルコンピュータ（ＰＣ）
２０      音声データ記録再生装置
２１      マイクロホン（ＭＩＣ）
２２      増幅器（ＡＭＰ）
２３，２９      ローパスフィルタ（ＬＰＦ）
２４      アナログ／ディジタル（Ａ／Ｄ）変換器
２５      システム制御部
２６      不揮発性半導体メモリ
２７      電源制御部
２８      ディジタル／アナログ（Ｄ／Ａ）変換器
３０      パワーＡＭＰ
３１      スピーカ
３２      操作入力部
３３      データ転送用データ変換部
３４      接続確認信号
４０      ＵＳＢケーブル
【図１】
0004315558.tif 000002
【図２】
0004315558.tif 000003
【図３】
0004315558.tif 000004